(57)【特許請求の範囲】
【請求項１】
映像及び音声信号を電気信号に変換する手段と、
前記電気信号をデジタルデータに変換する手段と、
前記デジタルデータに対して帯域圧縮を行いデータ量を減らした符号化データを生成する符号化手段と、
前記符号化データを主記憶媒体に記録する主記憶手段と、
前記符号化データを記録する補助記憶手段と、
前記補助記憶手段への記録データを一時的に記憶する第１の一時記憶手段と、
前記補助記憶手段からの再生データを一時的に記憶する第２の一時記憶手段と、
前記符号化データの記録を前記主記憶手段から前記補助記憶手段に切り替える第１の選択手段と、
前記第２の一時記憶手段から出力されるデータと前記第１の選択手段から出力される符号化データとを切り替えて前記主記憶手段に供給する第２の選択手段と、
前記第１の選択手段及び前記第２の選択手段を条件に従い切り替えること、及び前記第１の一時記憶手段及び前記第２の一時記憶手段の出力データの時間調整を行うこと、及び前記主記憶手段の記録動作及び前記補助記憶手段の記録再生動作の制御を行うこと、及び前記補助記憶手段の電源のＯＮ／ＯＦＦの制御を行うことを司る制御手段とを具備し、
前記制御手段は、前記主記憶手段の前記主記憶媒体の記憶容量が不足して前記主記憶媒体を交換する際に、前記補助記憶手段の電源をＯＮさせると共に、順次入力される前記符号データを前記第１の選択手段により前記主記憶手段から前記補助記憶手段に切り替え、かつ、前記符号化データを欠落無く前記補助記憶手段に間欠的に記録できるように前記第１の一時記憶手段により時間調整を行い、前記主記憶手段の前記主記憶媒体の交換が終了した後、前記符号化データを前記補助記憶手段に間欠的に記録する動作の合間に、前記主記憶媒体の交換中および交換後に記録し前記補助記憶手段から再生される記録済みの符号化データを欠落無く交換後の前記主記憶媒体に記録できるように、前記第２の一時記憶手段により時間調整を行い、かつ、前記第２の選択手段により前記第２の一時記憶手段の出力を選択して前記主記憶手段に供給し、前記主記憶手段の記録動作を通常の速度より高速に動作させて、前記第２の一時記憶手段の出力を交換後の前記主記憶媒体に記録し、前記主記憶媒体の交換後の所定期間において、前記符号化データを前記補助記憶手段に間欠的に記録する動作と、この間欠動作の合間に前記主記憶手段に前記符号化データを間欠的に高速記録する動作とを平行させて行うことで、前記補助記憶手段から再生される記録済みの符号化データを交換後の前記主記憶媒体に全て記録し終わると、前記補助記憶手段の電源をＯＦＦさせると共に、順次入力される前記符号データを前記第１の選択手段により前記補助記憶手段から前記主記憶手段に切り替えることを特徴とするデジタル情報記録システム。
【請求項２】
請求項１記載において、
前記補助記憶手段として、携帯用パーソナルコンピュータまたは携帯用情報端末に内蔵される交換可能な小型のハードディスクを使用することを特徴とするデジタル情報記録システム。
【請求項３】
請求項１記載において、
前記主記憶手段は主記憶媒体として磁気テープを使用することを特徴とするデジタル情報記録システム。
【発明の詳細な説明】
【０００１】
【発明の属する技術分野】
本発明は、磁気テープ、磁気ディスク、光ディスク、光磁気ディスク等の記憶媒体にデジタル情報を記録するデジタル情報記録システムに関する。
【０００２】
【従来の技術】
近年、映像・音声信号を記録する民生用の機器として、デジタルビデオカセット（以後、ＤＶＣと記す）規格（ＳＰ：６０分、ＬＰ：９０分）のビデオテープカセットを使用するカメラー体型のデジタルビデオテープレコーダーが普及してきている。しかし、通常ユーザーが被写体を記録したい時に丁度テープの記録時間内に収まることはまれであり、テープの終端部分を未使用として早めにテープを交換するか、又は、テープの最後まで使い切り、やむなく記録を中断してテープを交換することが多い。
【０００３】
テープを早めに交換する場合は、テープ終端の未記録部分が無駄となるし、テープを早めに交換する場合及び最後までテープに記録する場合のいずれにしても、映像・音声信号が次のテープを交換する迄途切れてしまう。
【０００４】
上記のような問題点に対処するため、特開平９−６３２５５号公報に開示された撮影装置においては、テープ交換時に記録データが途切れないようにするため、図５に示すように、放送用ビデオカメラ５１で取り込んだ映像を、一旦、ディスク型映像搬出緩衝部５２内のディスク装置に蓄積し、ディスク装置に蓄積した映像をビデオカセットレコーダ５３に装着されたビデオカセット５４に記録するようにして、ビデオテープカセット交換時に記録データが途切れないようにしている。なお、図５において、５５は全体の制御を司る制御部、５６はディスク側残量検出部、５７はテープ側残量検出部、５８は操作パネルである。
【０００５】
【発明が解決しようとする課題】
しかしながら、上記の従来技術においては、カメラで映像・音声信号を記録する場合に、テープ等の主記憶媒体の他に常時映像・音声信号をディスク装置に蓄積していく。このため、テープを使用する主記憶装置と共にディスク装置を常時動作させるため、消費電力が増加し記録時間の低下を招き、民生用としては許容できない。又、同じ記録時間を保つためには大容量のバッテリを搭載する必要が有り、その場合、重量の大幅な増加を招き、これも民生用としては容認できない。
【０００６】
本発明は上記の点に鑑みなされたもので、その目的とするところは、記憶媒体の交換時においても映像・音声信号が途切れることなく記録可能とすると共に、民生用機器として価格・重量・消費電力共に妥当なシステムとすることにある。
【０００７】
【課題を解決するための手段】
上記した目的を達成するために、本発明によるデジタル情報記録システムは、
映像及び音声信号を電気信号に変換する手段と、
前記電気信号をデジタルデータに変換する手段と、
前記デジタルデータに対して帯域圧縮を行いデータ量を減らした符号化データを生成する符号化手段と、
前記符号化データを主記憶媒体に記録する主記憶手段と、
前記符号化データを記録する補助記憶手段と、
前記補助記憶手段への記録データを一時的に記憶する第１の一時記憶手段と、
前記補助記憶手段からの再生データを一時的に記憶する第２の一時記憶手段と、
前記符号化データの記録を前記主記憶手段から前記補助記憶手段に切り替える第１の選択手段と、
前記第２の一時記憶手段から出力されるデータと前記第１の選択手段から出力される符号化データとを切り替えて前記主記憶手段に供給する第２の選択手段と、
前記第１の選択手段及び前記第２の選択手段を条件に従い切り替えること、及び前記第１の一時記憶手段及び前記第２の一時記憶手段の出力データの時間調整を行うこと、及び前記主記憶手段の記録動作及び前記補助記憶手段の記録再生動作の制御を行うこと、及び前記補助記憶手段の電源のＯＮ／ＯＦＦの制御を行うことを司る制御手段とを具備し、
前記制御手段は、前記主記憶手段の前記主記憶媒体の記憶容量が不足して前記主記憶媒体を交換する際に、前記補助記憶手段の電源をＯＮさせると共に、順次入力される前記符号データを前記第１の選択手段により前記主記憶手段から前記補助記憶手段に切り替え、かつ、前記符号化データを欠落無く前記補助記憶手段に間欠的に記録できるように前記第１の一時記憶手段により時間調整を行い、前記主記憶手段の前記主記憶媒体の交換が終了した後、前記符号化データを前記補助記憶手段に間欠的に記録する動作の合間に、前記主記憶媒体の交換中および交換後に記録し前記補助記憶手段から再生される記録済みの符号化データを欠落無く交換後の前記主記憶媒体に記録できるように、前記第２の一時記憶手段により時間調整を行い、かつ、前記第２の選択手段により前記第２の一時記憶手段の出力を選択して前記主記憶手段に供給し、前記主記憶手段の記録動作を通常の速度より高速に動作させて、前記第２の一時記憶手段の出力を交換後の前記主記憶媒体に記録し、前記主記憶媒体の交換後の所定期間において、前記符号化データを前記補助記憶手段に間欠的に記録する動作と、この間欠動作の合間に前記主記憶手段に前記符号化データを間欠的に高速記録する動作とを平行させて行うことで、前記補助記憶手段から再生される記録済みの符号化データを交換後の前記主記憶媒体に全て記録し終わると、前記補助記憶手段の電源をＯＦＦさせると共に、順次入力される前記符号データを前記第１の選択手段により前記補助記憶手段から前記主記憶手段に切り替えるように、構成される。
【０００８】
かような構成とすることにより、主記憶媒体としての例えばテープの交換時に、一時的にハードディスク等の補助記憶手段に映像及び音声データを蓄積し、テープ交換が終了した後、現在記録している映像及び音声データに追いつくように、補助記憶手段に蓄積しているデータを再生し、そのデータが通常速のテープパターンとなるように、テープ及びドラムを通常速以上に上げて、ハードディスクに蓄積しているデータを記録することによって、テープ交換中の映像・音声データが欠落しないようにすることができる。
【０００９】
なお、上記以外の本発明の特徴的な構成やその作用効果は、以下の説明から明らかとなる。
【００１０】
【発明の実施の形態】
以下、本発明の実施の形態を、図面を用いて説明する。
【００１１】
図１は、本発明の一実施形態に係るデジタル情報記録システムの構成を示すブロック図である。なお、本実施形態は、主記憶媒体としてＤＶＣ規格のビデオテープを使用し、補助記憶手段としてハードディスクを使用する場合の、適用例である。
【００１２】
図１に示す本実施形態のデジタル情報記録システムは、映像・音声信号を取り込むカメラ１と、アナログの映像・音声信号をデジタルデータに変換するデジタルデータ変換回路２と、デジタルデータを帯域圧縮し、データ量を減らすデータ圧縮回路３と、テープ交換時に記録データを途切れないようにするための制御などを行う制御装置４と、デジタルデータを記録再生可能であり全体を交換可能なハードディスク５と、デジタルデータを記録再生可能であり、主記憶媒体であるテープ（図示せず）を取り外して交換可能なデジタルテープレコーダー６とを、含んで構成されている。
【００１３】
又、制御回路４は、データ圧縮回路３の出力データをハードディスク５に記録する際に、ある程度まとまった量データを貯めて一気に記録するための記録バッファメモリ４３と、ハードディスク５からの再生データをテープレコーダー６に装着されているテープに記録するために、ハードディスク５からのデータを一時的に記憶する再生バッファメモリ４４と、データ圧縮回路３からのデータを、記録バッファメモリ４３の入力又は第２のスイッチ回路（ＳＷ２）４２の入力に切り替えるための第１のスイッチ回路（ＳＷ１）４１と、デジタルテープレコーダー６で記録するデータを、第１のスイッチ回路（ＳＷ１）４１からの出力データ又は再生バッファメモリ４４の出力に切り替えるための第２のスイッチ回路（ＳＷ２）４２と、後で述べる条件に従って第１のスイッチ回路（ＳＷ１）４１、第２のスイッチ回路（ＳＷ２）４２を適宜に切り替えたり、上記の構成要素４１〜４４、５、６の制御を行う制御回路４５とを、具備したものとなっている。
【００１４】
なお、カメラ１としては例えばデジタルムービーのＣＣＤカメラ部分、デジタルデータ変換回路２としては例えばＡ／Ｄコンバータ、データ圧縮回路３としては例えばＤＣＴ圧縮回路、記録・再生バッファメモリ４３、４４としてはＳＲＡＭやＳＤＲＡＭ等の半導体メモリ、ハードディスク５としては例えばノートパソコン等で使用する小型のハードディスク、デジタルテープレコーダー６としては例えばデジタルムービーのメカ部分（勿論、メカ部分にはＲＳ積符号等の誤り訂正回路、変復調回路、インターリーブ・デインターリーブ回路、アナログ回路等の電気系の回路も含む）が用いられる。
【００１５】
図２は、本実施形態のデジタル情報記録システムの動作を説明するための、各ブロックにおけるデータの流れの概略を示す図である。なお、図２中において、ＡＶＤＡＴ１〜ＡＶＤＡＴ９は、説明し易いようにユーザーが記録した９０分間の映像・音声信号（映像・音声データ）の１０分間のまとまりに対して、記号を割り振ったものである。
【００１６】
まず、データ圧縮回路３の出力データを、通常の速度でデジタルテープレコーダー６内のテープ「１」に記録する「通常記録」の場合は、図２の（ａ）に示すデータ圧縮回路３の出力データは、図２の（ｂ）に示すように、交換前のテープ「１」に記録された後、図２の（ｃ）に示すように、テープ「１」からテープ「２」に交換している間の５分間のデータは欠落して、その後のデータが交換後のテープ「２」に記録される。
【００１７】
それに対して、制御装置４によって、テープ「１」からテープ「２」に交換する際にデータが欠落しないように記録する、いわゆる「シームレス記録」の場合は、図２の（ｄ）に示すデータ圧縮回路３の出力データは、図２の（ｅ）に示すように、交換前のテープ「１」に記録された後、テープ「１」からテープ「２」に交換中のデータは、図２の（ｆ）に示すように、ハードディスク５に記録される。ここで、テープ「１」からテープ「２」に交換するのに５分かかった場合、ハードディスク５にＡＶＤＡＴ７前半５分間のデータを記録した後、ＡＶＤＡＴ７後半５分間のデータの記録と平行して、ＡＶＤＡＴ７前半５分間のデータの再生を行う。なお、記録と再生を平行して行っている間（図の網掛け部分）は、記録と再生を交互に行っていく。
【００１８】
ハードディスク５はテープのように連続して記録するわけでは無くて、基本的には間欠記録であるため、データの記録と記録の間の待ち時間の間に、図２の（ｇ）に示すように、ＡＶＤＡＴ７のデータを先頭から全て再生して、その再生データを、図２の（ｈ）に示すように（図の網掛け部分）、テープ「２」に２倍速で記録する。ハードディスク５内のデータが空になると共に、テープ「２」に記録する記録データが実記録データに追いつけば、すなわち図２中のタイミングＤ（○付きのＤ）で示すように一時記憶回路出力データに追いつけば、ＡＶＤＡＴ８以降テープ「２」に記録する速度を通常の速度に戻す。
【００１９】
ここで、以下に述べていく本実施形態の説明を行う前に、前提とするＤＶＣテープ及びハードディスクへのデータの記録のスピードである、記録レート及びハードディスクのシークタイムについての一例を述べる。
【００２０】
ＤＶＣ規格の記録レートは、ＮＴＳＣの標準モードで３．１２５ＭＢｐｓ（２５Ｍｂｐｓ）であるのに対して、ハードディスクでは、ディスク回転数やディスク一枚当たりの容量やシーケンシャルかランダムアクセスか等の条件により速度差は有るが、映像・音声データのように比較的連続して大容量のデータを処理する場合、２５ＭＢｐｓ前後の記録レートは出る。従って、８倍程度の速度差は有る。
【００２１】
又、ディスクの違う領域にアクセスするときにかかる時間であるシークタイムは、８ｍＳ前後である。
【００２２】
動作の概略は上記のように行うが、次に動作の詳細を、図２中のタイミングＡ〜Ｄ（○付きのＡ〜Ｄ）以降の部分を、もう少し詳細に説明した図３のタイムチャートと、前記図１とを用いて説明する。
【００２３】
図３に、図２中のタイミングＡ〜Ｄ以降それぞれにおける、各回路部動作のタイムチャートを示す。
【００２４】
まず、図３の一番上に図示した部分は、ＤＶＣ規格のビデオテープパターンを示す。“Ｆ○＿△”の“○”がフレームＮｏを、“△”がトラックＮｏをそれぞれ示す。ＮＴＳＣ方式の場合、画面は毎秒３０枚なので、毎秒３０フレーム（３００トラック）、１０分間で１８０００フレームのデータを、図のようにテープ上に記録していく。
【００２５】
ここで、タイミングＡのテープ「１」に通常記録を開始する部分では、ＡＶＤＡＴ１のデータの先頭から、図３の（ａ）に示すように、テープ「１」上にフレームＦ１より順にデータが記録されていく。
【００２６】
タイミングＢのテープ交換を開始する部分では、ＡＶＤＡＴ７のデータ（図３の（ｂ）に示すデータ圧縮回路３を通ったデータ）の先頭から、図３の（ｃ）に示すように、一旦、最低でも１フレーム分のデータを記憶できる記録バッファメモリ４３に貯めて、記録バッファメモリ４３が溢れる前に、記録バッファメモリ４３の出力データを一気にハードディスク５に記録する。このように間欠的に記録すれば、ハードディスク５を常時動作させてヘッド等の寿命を縮めることが緩和される。
【００２７】
タイミングＣのテープ「２」に記録を開始する部分では、現在記録しているＡＶＤＡＴ７のフレームＦ９００１の信号は、タイミングＢ以降の部分と同様に、図３の（ｄ）に示すように、記録バッファメモリ４３に入力し、記録バッファメモリ４３の出力データを、図３の（ｅ）に示すように、ハードディスク５に記録する。
【００２８】
図３の（ｆ）は、再生バッファ４４の入力、すなわち、ハードディスク５からの再生データであり、記録済みのＡＶＤＡＴ７先頭フレームＦ１以降の信号を、フレームＦ９００１以降フレーム単位で記録しているデータの記録と記録の間の時間に、図３の（ｅ）の記録データと同じレートで交換後のテープ「２」への実記録データへ追いつくように、２フレームずつ再生していく。
【００２９】
現在記録中のデータはそのままハードディスク５に記録しつつ、ハードディスク５に貯めたデータもハードディスク５から再生し、テープに記録する必要が有るため、テープ及びドラムは２倍速で動かす。このとき、図３の一番上の部分で示すように、テープ上に記録されるテープフォーマットはトラック幅及び長さが変わらないようにしなければならない。
【００３０】
そのテープフォーマットの変換のために、図３の（ｇ）に示すように、最低でも２フレーム分のデータを記憶できる再生バッファメモリ４４により、上記のハードディスク５からの再生データの時間調整を行い、テープ「２」に２倍速で記録していく。
【００３１】
次に、タイミングＤのＡＶＤＡＴ７の終わりとＡＶＤＡＴ８の先頭の部分、すなわち、テープ「２」が２倍速記録から通常速記録に切り変わる部分は、図３の（ｈ）に示すように、ＡＶＤＡＴ７の終わりのフレームＦ１８０００迄を２倍速でハードディスク５に記録し、記録と記録の間に、直前に記録したフレームＦ１７９９７〜Ｆ１８０００のデータを、図３の（ｉ）に示すように、ハードディスク５から再生していく。
【００３２】
なお、前述したように、ハードディスク５が１フレーム分（ＤＶＣ規格では３３．３ｍＳ）のデータを記録及び再生する時間は約４ｍＳ（３３．３ｍＳ×３．１２５ＭＢｐｓ／２５ＭＢｐｓ）及び違う領域のデータを記録／再生する時間は約８ｍＳより算出して、ハードディスクが１フレーム分のデータを記録しながら２フレーム分のデータを再生していく時間は、上記の値を合計して約２６ｍＳ（＝４×３＋８×２）であるため、著しく性能の劣るハードディスクでなければ上記の制御は可能である。
【００３３】
その再生データをテープ「２」に記録するため、図３の（ｊ）に示すように、再生バッファメモリ４４にてフレームＦ１８０００迄レート変換を行って、その後、テープ及びドラムの速度を通常速に戻し、データ圧縮回路３から出力されるＡＶＤＡＴ８をそのまま図のように記録していく。
【００３４】
なお、図のスケールでは通常１フレーム分のメモリを持つＤＶＣにおいてもフレームＦ１が記録されないが、その間は３３ｍｓ程度なので、視覚上全く問題無い。しかし、第２のスイッチ回路（ＳＷ２）４２とデジタルテープレコーダー６との間にデータを保持するためのバッファメモリを入れるか、又は、使わなくなったバッファメモリ４３か４４をデータ保持のために使用するように制御回路４５で制御すれば、データが欠けることが無いようにすることもできる。
【００３５】
次に、図４に示す「通常記録」及び「シームレス記録」の動作フローと前記図１〜図３とを用いて、本実施形態の主要な動作を司る図１の制御装置４の動作について詳細に説明する。なお、以降の説明において特に断らなければ、“×××を制御する”というのは、制御回路４５による制御を指す。
【００３６】
図４において、通常記録の場合には、図２中のＡのテープ「１」に記録を開始するタイミングでは、図１の第１のスイッチ回路（ＳＷ１）４１及び第２のスイッチ回路（ＳＷ２）４２は上側を選択するように制御する（図４のステップＳ１８、ステップＳ１９）。カメラ１で取り込んだアナログの映像・音声信号を、デジタルデータ変換回路２でデジタルデータに変換する。変換されたデジタルデータはデータ圧縮回路３で圧縮し、データ量を減らした後、第１のスイッチ回路（ＳＷ１）４１及び第２のスイッチ回路（ＳＷ２）４２を通り、デジタルテープレコーダー６に通常の速度で記録される（ステップＳ２０）。
【００３７】
それに対して、テープ「１」からテープ「２」に交換するときにデータが欠落しないように記録する、いわゆる「シームレス記録」の場合の制御動作の流れについて、以下説明する。
【００３８】
まず、図２中のＢの、テープ「１」の記録が終了し、ハードディスク５に記録を開始するタイミングでは、図１の第１のスイッチ回路（ＳＷ１）４１は下側を選択するように制御する（ステップＳ２）。次に、記録バッファメモリ４３及びハードディスク５の電源をＯＮにして（ステップＳ３）、データ圧縮回路３の出力データを記録バッファメモリ４３に入力する。
【００３９】
なお、次のフレームを記録又は再生して良いかどうかを制御回路４５が判断するために、全体のシステム制御を司るマイコン（図示せず）から記録要求フラグ及び再生要求フラグが出ている。
【００４０】
記録要求フラグが“Ｈ”（次のフレームの再生開始迄時間が有る）の間は、記録動作をフレーム単位で継続し、記録要求フラグが“Ｌ”なら再生動作に戻る。
【００４１】
再生要求フラグが“Ｈ”（次のフレームの記録開始迄時間が有る）の間は、再生動作をフレーム単位で継続し、再生要求フラグが“Ｌ”なら記録動作に戻る。
【００４２】
また、テープ「１」からテープ「２」に交換中のＡＶＤＡＴ７のフレームＦ１〜Ｆ９０００の間は、記録要求フラグは“Ｈ”となる。
【００４３】
ここで、入力されたデータはハードディスク５に貯めるために記録するだけなので、記録バッファメモリ４３の出力データが、ヘッド寿命を延ばすために間欠的に記録するレートとなるように、ＡＶＤＡＴ７のフレームＦ１から（ステップＳ５）、図３の（ｃ）に示すように記録バッファメモリ４３の記録レートを制御し（ステップＳ６）、記録バッファメモリ４３の出力データをハードディスク５に記録する（ステップＳ７）。
【００４４】
次に、図２中のＣの、ＡＶＤＡＴ７フレームＦ９０００迄でハードディスク５の記録が終了し、交換したテープ「２」に記録を開始する準備ができたことが制御回路４５に伝わったＦ９０００の時点で、再生バッファメモリ４４の電源をＯＮにする（ステップＳ９）。続いて、第２のスイッチ回路（ＳＷ２）４２の下側を選択する（ステップＳ１０）。そして、テープ「１」からテープ「２」に交換中にハードディスク５に記録したＡＶＤＡＴ７の先頭フレームＦ１から再生する（ステップＳ１２）。再生要求フラグが“Ｈ”である限り（ステップＳ１３でＹＥＳである限り）、Ｆ２フレーム以降を再生する（Ｓ１３）。
【００４５】
２フレーム分の再生データを再生した後、再生要求フラグが“Ｌ”となると（ステップＳ１３でＮＯとなると）、ハードディスク５から再生した２フレーム分のデータ（図３の（ｆ）のデータ）を、テープ「２」に２倍速で記録できるように、図３の（ｇ）に示すように、通常のテープ「２」の記録レートの２倍の記録レートとするべく、再生バッファメモリ４４の出力を制御する（ステップＳ１４）。このとき、テープレコーダー６も、図３の（ｇ）のデータを図３の最上部のトラックパターンのように記録できるように、テープ及びドラムの速度を２倍速で動作するように制御する（ステップＳ１５）。
【００４６】
ＡＶＤＡＴ７の最終フレームＦ１８０００のデータをハードディスク５から再生し、テープ「２」に記録する迄、ハードディスク５の記録及び再生動作、デジタルテープレコーダー６の２倍速記録動作を継続する（ステップＳ１６）。なお、この動作は、先にも述べたように、ハードディスク５に記録したデータのフレーム単位の記録と記録の間の空いた時間に、テープ「１」からテープ「２」に交換中に一時的に退避している記録済みデータを、２フレーム分ずつ再生するという動作である。
【００４７】
最後に、図２中のＤの、ＡＶＤＡＴ７の最終フレームＦ１８０００の所まで記録して、ハードディスク５の記録再生及びデジタルテープレコーダー６のテープ「２」への２倍速記録が終了し、テープ「２」が通常速記録に戻るタイミングでは、図３の（ｅ）〜（ｇ）のハードディスク記録Ｆ９００１〜、ハードディスク再生Ｆ１〜が、図３の（ｈ）〜（ｊ）のように、ハードディスク記録Ｆ１８０００（ＡＶＤＡＴ７の最後のフレーム）、ハードディスク再生Ｆ１８０００となって、ハードディスク５内の未再生データが無くなり、現在記録する映像及び音声データに追いつく。
【００４８】
図３の（ｊ）の再生バッファ出力のＦ１８０００フレームを２倍速でテープ「２」に記録することが終了した後、記録バッファメモリ４３、再生バッファメモリ４４、ハードディスク５の電源をＯＦＦにする（ステップＳ１７）。
【００４９】
次に、第１のスイッチ回路（ＳＷ１）４１及び第２のスイッチ回路（ＳＷ２）４２を上側を選択するように制御し（ステップＳ１８、ステップＳ１９）、テープ「２」の記録速度を通常の速度に戻し、図２のＡＶＤＡＴ８の先頭から、さらに記録を行っていく（ステップＳ２０）。
【００５０】
なお、上述した実施形態でテープやドラムを２倍速としたのは、テープやドラムをあまり高速で動かすのはメカ性能上の限界や消費電力の点で問題が有り、２〜３倍速程度が限度であるためである。そのテープやドラムの高速動作中に、ハードディスクの中の記録済みデータを現状のデータを含めて全て記録できるレート迄上げるように、記録バッファメモリ４３及び再生バッファメモリ４４の出力レートを制御することが十分可能であるため、２倍速としたが、テープの残り時間とハードディスクに一時記憶したデータ量から逆算して、１．７倍等の半端な速度でも良く、又、ハードディスクやビデオテープレコーダーの性能が向上すれば、３倍速以上、５倍や１０倍の速度でも良いことは明白である。
【００５１】
又、上述した実施形態では、テープ交換中のみハードディスクを使用したが、制御回路４５により、交換用のテープを持ち合わせていない場合等ユーザーが任意にハードディスクに記録できるようにしても良い。
【００５２】
なおまた、上述した実施形態では、主記憶媒体としてテープを例に挙げたが、ハードディスクや光ディスクや光磁気ディスク等の各種記憶媒体及びその駆動装置の性能が向上すれば、主記憶媒体として、磁気テープでは無く、間欠記録である磁気ディスクや光ディスクや光磁気ディスク等のディスクを適用できる可能性が有るのは言うまでも無い。
【００５３】
【発明の効果】
請求項１に係る発明によれば、テープ等の主記憶媒体の交換時に、一時的にハードディスク等の補助記憶手段に映像及び音声データを蓄積し、テープ交換が終了した後、現在記録している映像及び音声データに追いつくようにハードディスクに蓄積しているデータを再生し、そのデータが通常速のテープパターン（図３の最上部のトラック幅及び長さ）となるようにテープ及びドラムを通常速以上に上げて、ハードディスクに蓄積しているデータを記録することにより、テープ交換中の映像・音声データが欠落しないようにすることができる。また、このためのシステム構成を、民生機器として価格・重量・消費電力共に妥当なものとして実現できる。さらに、必要時のみにハードディスク等の補助記憶手段を駆動し、かつ、補助記憶手段を間欠動作させれば良いので、補助記憶手段の延命化も図ることができる。
【００５４】
請求項２に係る発明によれば、テープ等の主記憶媒体の交換の際だけでは無く、予備の主記憶媒体（予備テープ）を持ち合わせて無い場合における、映像及び音声データの一時的な退避装置としてユーザーが任意にハードディスク等の補助記憶手段を使用することもできる。
【００５５】
請求項３に係る発明によれば、補助記憶手段として、携帯用パーソナルコンピュータや携帯用情報端末に内蔵される、例えば２．５インチ又は１．８インチ又はそれ以下の、交換可能な小型のハードディスクを用いるようしている。かような構成とすることで、ハードディスクが故障した場合や、将来的にハードディスクの容量が大幅に向上した場合に、簡単に交換できる。
【００５６】
請求項４に係る発明によれば、主記憶媒体としてデジタルビデオテープレコーダー等に用いる磁気テープを使用しており、映像・音声信号の記憶媒体として広く普及している磁気テープにより映像・音声信号が保存できる。
【図面の簡単な説明】
【図１】本発明の一実施形態に係るデジタル情報記録システムの構成を示すブロック図である。
【図２】図１中の各ブロックにおけるデータの流れの概略を示す説明図である。
【図３】本発明の一実施形態における、ハードディスク録再データ及びテープへの記録データの流れを示す説明図である。
【図４】本発明の一実施形態における、「通常記録」及び「シームレス記録」の動作フローを示すフローチャートである。
【図５】従来技術による構成を示すブロック図である。
【符号の説明】
１  カメラ
２  デジタルデータ変換回路
３  データ圧縮回路
４  制御装置
５  ハードディスク
６  デジタルテープレコーダー
４１  第１のスイッチ回路（ＳＷ１）
４２  第２のスイッチ回路（ＳＷ２）
４３  記録バッファメモリ
４４  再生バッファアメモリ
４５  制御回路
【図１】
0004020603.tif 000002
【図２】
0004020603.tif 000003
【図３】
0004020603.tif 000004
【図４】
0004020603.tif 000005
【図５】
0004020603.tif 000006